(57)【要約】【課題】一対の支持脚が閉じた状態において、一対の支持脚により形成される厚みの範囲内に、フックを収納し得るようにして、取り扱いを容易にする。【解決手段】一対の支持脚１１、１２が一端部でヒンジ１３によって開閉可能に連結され、両支持脚１１、１２は一対の支柱１５、１７間に複数の踏桟１６、１８が所要間隔をおいて設けられたものである。支持脚１１の他端部側の踏桟１６に、軸部２０を備えるフック１４が支持脚１２の外面よりも内側に、かつ支持脚１２側を向く状態に設けられる。軸部２０は、踏桟１６の２箇所に設けられたガイド体２１によって、支柱１５に沿ってスライド可能である。フック１４が踏桟１６に位置する状態で軸部２０のスライドを規制するロック具２３がガイド体２１に設けられる。支持脚１１、１２が閉じると、フック１４を支持脚１２の外面よりも内側に位置させ、軸部２０とともに一対の支持脚１１、１２により形成される厚みの範囲内にコンパクトに収めることができる。【選択図】図１
2010285779.tif 000002
【特許請求の範囲】
【請求項１】
一対の支持脚がその一端部でヒンジを介して開閉可能に連結され、前記一対の支持脚は一対の支柱間に複数の踏桟が所要間隔をおいて設けられたものであり、前記一方の支持脚の他端部にフックが設けられた折り畳み式梯子において、前記フックが前記一方の支持脚の他端部側の踏桟に前記他方の支持脚側を向く状態に設けられ、前記一対の支持脚が閉じた状態で、前記フックが前記他方の支持脚の外面よりも内側に位置するようにしたことを特徴とする折り畳み式梯子。
【請求項２】
前記フックは一端部に形成された軸部を備え、その軸部が前記一方の支持脚の踏桟の２箇所に前記支柱に沿ってスライド可能に設けられ、前記フックは、前記軸部の前記一方の支持脚の他端部側に配置され、前記軸部のスライドにより、前記一方の支持脚の他端部よりも内側からその他端部よりも外側にまで移動するようにした特徴とする請求項１に記載の折り畳み式梯子。
【請求項３】
前記一方の支持脚の他端部の踏桟にガイド体が２箇所設けられ、このガイド体により、前記フックの軸部が前記支柱に沿ってスライド可能に設けられ、前記ガイド体は前記フックを前記一方の支持脚の他端部より内側に位置させた状態で、前記軸部のスライドを規制するロック手段を備えたことを特徴とする請求項２に記載の折り畳み式梯子。
【発明の詳細な説明】
【技術分野】
【０００１】
この発明は、工場やマンション、店舗等の建物の屋上などに設置されているキュービクル、給水設備などを点検する際、建物の壁面に設けられたタラップに掛けて使用する折り畳み式梯子に関する。
【背景技術】
【０００２】
一般に、工場やマンション、店舗等の建物の屋上などには、一段高く形成された箇所にキュービクル、給水設備やエレベータ等の管理設備などが設置され、これらの設備を点検する際、屋上などに登るためのタラップが建物の外壁に取り付けられている。
【０００３】
タラップとしては、梯子状のものや、コの字状の鉄棒を水平に突出させた状態で上下に複数並べられたものなどが用いられている。このタラップは、キュービクル等が点検される月に１回または数ヶ月に１回しか使用されない。このため、通行の邪魔になるとの理由、または防犯上の理由から容易に上がることができないように、人の背丈よりも高い位置に設けられている場合が多い。
【０００４】
したがって、タラップを上りキュービクル等の点検する際には、タラップに引っ掛けるフックを備えた折り畳み式梯子が使用される（例えば、特許文献１参照）。この折り畳み式梯子は、一対の支持脚がその一端部でヒンジ金具によって開閉可能に連結され、各支持脚は一対の支柱間に複数の踏桟が上下方向に所要間隔をおいて設けられたものであり、一方の支持脚の両支柱の他端部にフック（引っ掛け金物）がそれぞれ同じ向きに固定されている。
【０００５】
一対の支持脚を開いて、他方の支持脚を接地させるとともに、一方の支持脚のフックを前記タラップに引っ掛ける。これにより、地面とタラップの間に折り畳み式梯子が取り付けられるので、タラップを上り、キュービクル等の点検を行うことができる。
【先行技術文献】
【特許文献】
【０００６】
【特許文献１】特開２００２−２２７５７５号公報
【発明の概要】
【発明が解決しようとする課題】
【０００７】
ところで、特許文献１に記載の折り畳み式梯子は、フックが両支柱の他端部に固定されている。この固定されたフックは、折り畳み式梯子の一対の支持脚を閉じた状態では、一対の支持脚の他端部よりも外側（開閉方向の外側）に突き出すこととなる（特許文献１  図２参照）。
【０００８】
フックが突き出していると、自動車のトランクスペースやトラック等の貨物スペースに積まれた折り畳み式梯子を取り出す際、一緒に積まれている荷物や資材にフックが引っ掛かり、取り扱いが難しい。また、フックが突き出した分だけ折り畳み状態での厚みが大きくなり、余分に収納スペースを確保する必要があった。
【０００９】
そこで、この発明の課題は、閉じた状態での一対の支持脚により形成される厚みの範囲内に、フックを収納し得るようにして、取り扱いを容易にすることである。
【課題を解決するための手段】
【００１０】
前記課題を解決するために、この発明では、一対の支持脚がその一端部でヒンジを介して開閉可能に連結され、前記一対の支持脚は一対の支柱間に複数の踏桟が所要間隔をおいて設けられたものであり、前記一方の支持脚の他端部にフックが設けられた折り畳み式梯子において、前記フックが前記一方の支持脚の他端部側の踏桟に前記他方の支持脚側を向く状態に設けられ、前記一対の支持脚が閉じた状態で、前記フックが前記他方の支持脚の外面よりも内側に位置するようにした構成を採用することができる。
【００１１】
このようにすると、一方の支持脚の踏桟に設けられたフックが、他方の支持脚の外面（一対の支持脚の開閉方向の外側を向く面）よりも内側に位置する。このため、フックは、一対の支持脚が閉じた状態において、他方の支持脚の外面よりも突き出さず、一対の支持脚により形成される厚みの範囲内に収納される。このため、折り畳み式梯子を自動車、トラック等に積んだときでもフックが邪魔にならず、また、積み込み、取り出し時での取り扱いが容易になる。
【００１２】
前記構成において、前記フックは一端部に軸部を備え、その軸部が前記一方の支持脚の踏桟の２箇所に前記支柱に沿ってスライド可能に設けられ、前記フックは、前記軸部の前記一方の支持脚の他端部側に配置され、前記軸部のスライドにより、前記一方の支持脚の他端部よりも内側からその他端部よりも外側にまで移動するようにした構成を採用することができる。
【００１３】
この構成によると、フックの軸部を支柱に沿ってスライドさせ、フックを一方の支持脚の他端部よりも外側に位置させることが可能となる。このため、開いた状態の折り畳み式梯子は、より高い位置にあるタラップに対してフックを引っ掛けることができる。
【００１４】
また、フックは軸部をスライドすれば、一方の支持脚の他端部よりも内側（他端部に対してヒンジ側）に位置させることができる。このとき、フックは一対の支持脚が閉じた状態で、他方の支持脚の外面よりも内側に位置するようにしたものであるため、軸部とともにフックを一対の支持脚により形成される厚みの範囲内にコンパクトに収めることができる。
【００１５】
前記一方の支持脚の他端部の踏桟にガイド体が２箇所設けられ、このガイド体により、前記フックの軸部が前記支柱に沿ってスライド可能とされ、前記ガイド体は、前記フックを前記一方の支持脚の他端部より内側に位置する状態で、前記軸部のスライドを規制するロック手段を備えた構成を採用することができる。
【００１６】
このロック手段により、一対の支持脚を閉じた状態で、フックが一方の支持脚の他端部よりも内側に位置する状態で保持される。保持されたフックは一方の支持脚の他端部から突き出すことなく、一対の支持脚により形成される厚みの範囲内に確実に収納される。
【００１７】
また、脚立として使用する際、折り畳み式梯子を傾けたり、一対の支持脚を開いたりするときに、軸部がスライドしフックが一方の支持脚の他端部から突き出て、取り扱いが難しくなることを防止することができる。
【発明の効果】
【００１８】
この発明は、一方の支持脚の踏桟に他方の支持脚を向く状態に設けられたフックを、他方の支持脚の開閉方向の外面よりも内側に位置するようにしたので、そのフックは、両支持脚が閉じた状態において、他方の支持脚の支柱の外面よりも突き出さず、一対の支持脚により形成される厚みの範囲内に収納され得る。
【図面の簡単な説明】
【００１９】
【図１】実施例１での折り畳み式梯子の自立状態を示す斜視図
【図２】同上の自立状態を示す正面図
【図３】同上の自立状態を示す背面図
【図４】同上の自立状態を示す縦断面図
【図５】同上の自立状態を示す上面図
【図６】同上の自立状態を示す底面図
【図７】同上の閉じた状態を示す側面図
【図８】同上のロック手段を示す断面図
【図９（ａ）】同上の自立状態を示す側面図
【図９（ｂ）】同上のヒンジを示す拡大側面図
【図１０】同上の展開状態を示す側面図
【図１１】同上の展開状態を示す正面図
【図１２】同上の展開状態を示す背面図
【図１３】同上の展開状態での軸部をスライドさせた状態を示す背面図
【図１４】同上の軸部を示す拡大背面図
【図１５】同上の使用状態を示す斜視図
【発明を実施するための形態】
【００２０】
以下、この発明に係る折り畳み式梯子の実施例１を図１〜図１５に示す。
【実施例１】
【００２１】
この実施例１での折り畳み式梯子は、図１に示すように、一対の支持脚１１、１２をその一端部においてヒンジ１３により開閉可能に連結され、フック１４が一方の支持脚１１の他端部に設けられたものである。
【００２２】
支持脚１１は、図２に示すように、一対の支柱１５の間に複数の踏桟１６、１６・・・が上下方向に所要間隔をおいて設けられたものである。一対の支柱１５は金属枠から形成され、その他端部にそれぞれ地面、床面等に対する接地端具１９が回動可能に設けられている。
【００２３】
各踏桟１６は、金属パイプから形成され、図４に示すように、支柱１５の一端部側（ヒンジ１３側）を向く面が、折り畳み式梯子の自立状態での使用時に水平となるように設けられる。また、支柱１５の他端部側（ヒンジ１３側に対して反対側）を向く面（図４における踏桟１６の下面）が、一対の支持脚１１、１２の展開状態での折り畳み式梯子の使用時に水平となるように設けられる。複数の踏桟１６のうち最も支持脚１１の一端部寄りの踏桟１６ａが、前記自立状態での天板とされる（図５参照）。
【００２４】
支持脚１２は前述した支持脚１１と同様、図３に示すように、一対の支柱１７、１７の間に複数の踏桟１８、１８・・・が上下方向に所要間隔をおいて設けられている。一対の支柱１７は、支柱１５と同様、金属枠から形成され、その他端部にもそれぞれ地面、床面等に対する前記接地端具１９が回動可能に設けられている（図６参照）。
【００２５】
各踏桟１８は、踏桟１６と同様、金属パイプから形成され、支柱１７の一端部側を向く面が、折り畳み式梯子の自立状態での使用時に水平となるように設けられる。また、支柱１７の他端部側を向く面が、一対の支持脚１１、１２の展開状態での折り畳み式梯子の使用時に水平となるように設けられる。複数の踏桟１８のうち、最も支持脚１２の一端部寄りの踏桟１８ａが、前記自立状態での天板とされる（図５参照）。
【００２６】
また、支持脚１２の最も他端部寄りの踏桟１８ｃに、必要に応じて、立て掛け具３０を回動可能に設けることができる。立て掛け具３０は、電柱の外面に沿う接地湾曲部を有する硬質の合成ゴムにより形成されており、一対の支持脚１１、１２の展開状態での折り畳み式梯子を電柱に対して安定して立て掛けることができる。
【００２７】
一対の支持脚１１、１２のうち、支持脚１１は、図１に示すように、踏桟１６の内側（一対の支持脚１１、１２の開閉方向の内側）にフック１４を備えている。このフック１４は金属棒を鉤状に形成したものであり、一端部に固定した金属パイプからなる軸部２０を備えている。
【００２８】
フック１４の軸部２０は、支持脚１１の踏桟１６に設けられたガイド体２１により、支柱１５に沿ってスライド可能に保持されている。ガイド体２１は、軸部２０が挿通可能な金属パイプから形成され、支持脚１１の最も他端部寄りの踏桟１６ｃと、これと隣り合う踏桟１６ｂとの間に掛け渡された状態で２箇所に設けられている。
【００２９】
各ガイド体２１は、図１、図２に示すように、踏桟１６ｂ、１６ｃの内側に固定金具２２により、支柱１５に沿って、互いに平行に固定されている。このガイド体２１により、軸部２０はフック１４が支持脚１１の他端部側に位置する状態で保持される。
【００３０】
また、フック１４は、ガイド体２１内で軸部２０がスライドすることにより、支持脚１１の踏桟１６ｃから、その支持脚１１の他端部よりも外側にまで、すなわち、支持脚１１の他端部よりも内側から、その他端部よりも外側にまで位置するものとなる。
【００３１】
さらに、フック１４の先端部は、図７に示すように、一対の支持脚１１、１２が閉じた状態で、支持脚１２側に向き、かつ支持脚１２の支柱１７の外面よりも内側に位置している。このため、フック１４は、一対の支持脚１１、１２を閉じた状態で、支持脚１２の外面から突き出すことなく、一対の支持脚１１、１２により形成される厚みの範囲内に収納される。
【００３２】
各ガイド体２１は、図２に示すように、互いの対向面にフック１４の軸部２０のスライドを規制するロック具２３（ロック手段）を備えている。ロック具２３は、図８に示すように、相互に嵌まり合う断面楕円の筒状をなす有底の内筒体２４および外筒体２５と、外筒体２５に一体に形成される係止ピン２６と、係止ピン２６に装着されたコイルばね２７とからなる。
【００３３】
内筒体２４はガイド体２１の前記対向面に位置する固定金具２２の一部およびガイド体２１に固定されている。外筒体２５は底部の中央に係止ピン２６が起立しており、その係止ピン２６が内筒体２４の底部中央を貫通している。係止ピン２６の軸方向の中央にはリング２８が嵌合固定され、このリング２８と内筒体２４の底部内面との間に圧縮状態のコイルばね２７が装着されている。
【００３４】
外筒体２５の係止ピン２６は、内筒体２４の底部、固定金具２２およびガイド体２１を貫通しており、フック１４の軸部２０に設けられた孔２９に係止する。外筒体２５が引き出されると、係止ピン２６も引き出され、軸部２０の孔２９との係止状態が解除され、軸部２０がガイド体２１内をスライド可能となる（図８一点鎖線参照）。
【００３５】
また、断面楕円の筒状である外筒体２５は、これを引き出し、約９０度回転させて内筒体２４に嵌り合わない状態に掛け止めすることができる。掛け止めした状態では、フック１４の軸部２０はガイド体２１内をスライド可能となる。これにより、フック１４の位置は、図１３、１４に示すように、これを引っ掛ける対象物Ｔ（例えば、前述のタラップやキュービクルの周りに張られたワイヤなど）の位置に合わせて調整することが可能となる。
【００３６】
これにより、対象物Ｔに対して両フック１４を確実に引っ掛け、展開状態の折り畳み式梯子を固定することができる（図１５参照）。また、一対のガイド体２１にそれぞれ保持されたフック１４の軸部２０は、相互に独立してスライド可能である。このため、フック１４を引っ掛ける対象物が水平でない場合に対応可能である。
【００３７】
ここで、フック１４の軸部２０の長さは、特に限定しないが、少なくとも、ガイド体２１の長さ以上であればよく、例えば、図２に示すように、支持脚１１の最も他端部寄りの踏桟１６ｃから最も一端部寄りの踏桟１６ａに至る長さであれば、より高い位置のタラップにフック１４を引っ掛けることが可能となり好ましい。
【００３８】
外筒体２５の係止ピン２６が軸部２０の孔２９に係止する状態において、圧縮状態のコイルばね２７は、リング２８を介して係止ピン２６をガイド体２１に向かって付勢する。これにより、係止ピン２６と孔２９との係止状態が維持される。したがって、フック１４が一方の支持脚１１の他端部より内側（支持脚１１の他端部よりもヒンジ１３寄り）に位置する状態で保持される。
【００３９】
フック１４は、係止ピン２６と軸部２０の孔２９との係止により、支持脚１１から突き出すことなく、閉じた状態の一対の支持脚１１、１２により形成される厚みの範囲内に確実に収納される（図７参照）。軸部２０の孔２９の位置は、フック１４が支持脚１１の他端部よりもヒンジ１３側にある状態、例えば、フック１４が踏桟１６ｃに最も接近した状態で、係止ピン２６と係止可能な位置であればよい。また、孔２９を所要の間隔をおいて複数形成することも可能である。この場合、軸部２０を所要の位置にスライドさせ、その位置でフック１４を保持させることができる。
【００４０】
この実施例において、フック１４の位置を変更する必要のない場合、予めフック１４を引っ掛ける対象物の位置が決まっている場合など、軸部２０を備えていない鉤状をなすフック１４のみを、支持脚１１の踏桟１６に支持脚１２側を向く状態に設けることができる。この場合、一対の支持脚１１、１２が閉じた状態で、フック１４が支持脚１２の支柱１７の外面よりも内側に位置するようにすればよい。これにより、フック１４の構造が単純になり、フック１４の収納性が確保されるとともに、軽量化が図られる。
【００４１】
一対の支持脚１１、１２を開閉可能に連結するヒンジ１３は、図９（ａ）に示すように、一対のヒンジ片３１、３１と、これらを連結するヒンジピン３２とからなる。一対のヒンジ片３１、３１は、一方の支柱１５、１７の一端部の外面（踏桟１６、１８の設置面に対して反対側の面）にそれぞれ固定され、支柱１５、１７の一端側から内向きに対向して耳部３３、３３が一体に形成されている。耳部３３を互いに重ね合わせた状態で、これに設けられた孔にヒンジピン３２としてのボルトが挿通され、ナットを締め付けて、一対のヒンジ片３１が相互に回動可能に連結される。
【００４２】
また、ヒンジ１３の一方のヒンジ片３１に、２つの金属片からなる公知の係合金具３４が回動可能に取り付けられている。係合金具３４を他方のヒンジ片３１に設けたピン３１ａに係合することにより、自立状態の折り畳み式梯子が必要以上に開くことが防止される。
【００４３】
また、図１１、１２に示すように、一対の支持脚１１、１２の展開状態において、係合金具３４は、他方のヒンジ片３１に設けたピン３１ｂとの係合可能であり、一対の支持脚１１、１２が使用中に閉じることを防止する安全具とされる（図９（ｂ）一点鎖線参照）。
【００４４】
他方の支柱１５、１７の一端部にも、一方の支柱１５、１７の一端部と同様、ヒンジ片３１、３１がそれぞれ固定され、耳部３３の孔にボルト、ナットにより連結されており、このヒンジ片３１、３１にも係合金具３４が設けられている。
【００４５】
ヒンジ１３により連結された一対の支持脚１１、１２は、図１に示す自立状態から、例えば支持脚１１を上向きに回転させて、両ヒンジ片３１、３１の他端部が互いに突き合わされた展開状態とすることが可能となる（図９（ｂ）中の一点鎖線）。また、この展開状態では、図１０に示すように、一対の支持脚１１、１２が一直線上に位置し、この状態から、両支持脚１１、１２の支柱１５、１７が重なり合う閉じた状態に折り畳まれる。
【００４６】
この実施例での折り畳み式梯子は、図１１、１２に示すように、このヒンジ１３、係合金具３４により、一対の支持脚１１、１２が展開状態とされ、この展開状態では、通常、梯子として使用可能とされる。
【００４７】
ここで、タラップＴが展開状態の折り畳み式梯子の全長よりも高い位置に設けられている場合、図１３に示すように、フック１４の軸部２０を上方にスライドさせ、タラップＴに引っ掛けることができる。
【００４８】
タラップＴにフック１４が引っ掛けられると、図１５に示すように、折り畳み式梯子が安定するとともに、タラップを上り、キュービクル等の設備の点検等を行うことが可能となる。
【００４９】
また、この実施例の折り畳み式梯子は、図１に示すように、脚立として使用することが可能である。この場合、フック１４の軸部２０は、ガイド体のロック具２３により、スライドが規制され、支持脚１１の踏桟１６ｃにフック１４が保持される。このため、脚立としての使用時にも、フック１４が邪魔にならない。
【００５０】
折り畳み式梯子の使用後は、図７に示すように、一対の支持脚１１、１２を完全に閉じる。支持脚１１、１２の閉じた状態において、ロック具２３によりフック１４の軸部２０のスライドが規制されている。このとき、フック１４は、その先端部が支持脚１２の外面から突き出していない。このため、フック１４が、閉じた状態の一対の支持脚１１、１２により形成される厚みの範囲内に収納され得る。
【符号の説明】
【００５１】
１１  支持脚
１２  支持脚
１３  ヒンジ
１４  フック
１５  支柱
１６、１６ａ、１６ｂ、１６ｃ  踏桟
１７  支柱
１８、１８ａ、１８ｃ  踏桟
１９  接地端具
２０  軸部
２１  ガイド体
２２  固定金具
２３  ロック具
２４  内筒体
２５  外筒体
２６  係止ピン
２７  コイルばね
２８  リング
２９  孔
３０  立て掛け具
３１  ヒンジ片
３１ａ  ピン
３１ｂ  ピン
３２  ヒンジピン
３３  耳部
３４  係合金具
Ｔ  対象物（タラップ）
【図１】
2010285779.tif 000003
【図２】
2010285779.tif 000004
【図３】
2010285779.tif 000005
【図４】
2010285779.tif 000006
【図５】
2010285779.tif 000007
【図６】
2010285779.tif 000008
【図７】
2010285779.tif 000009
【図８】
2010285779.tif 000010
【図９（ａ）】
2010285779.tif 000011
【図９（ｂ）】
2010285779.tif 000012
【図１０】
2010285779.tif 000013
【図１１】
2010285779.tif 000014
【図１２】
2010285779.tif 000015
【図１３】
2010285779.tif 000016
【図１４】
2010285779.tif 000017
【図１５】
2010285779.tif 000018